(57)【要約】【課題】無線通信ネットワーク内で端末装置に情報をブロードキャストするための方法、およびそのような方法を利用する端末装置を提供する。【解決手段】サーバと少なくとも２つの異なるタイプの伝送チャネルとを含む無線通信ネットワーク内で、１つまたは複数の情報を１つまたは複数の無線通信端末装置にブロードキャストするための方法であって、情報が、所与の端末装置専用の個人部分と呼ばれる部分と、そのようなネットワークに加入しているすべての端末装置に対する共通部分と呼ばれる別の部分に分割され、前記情報が、２つのタイプのデータ伝送チャネルを介して配信され、第１のタイプのチャネルは、情報の前記個人部分専用であり、第２のタイプのチャネルは、情報の前記共通部分専用である方法。【選択図】      図１
2004215248.tif 000002
【特許請求の範囲】
【請求項１】
サーバと少なくとも２つの異なるタイプの伝送チャネル（４、５）とを含む遠隔通信ネットワーク内で、少なくとも１つの情報を少なくとも１つの無線通信端末装置（３）にブロードキャストするためのブロードキャスト方法であって、
前記情報が、所与の端末装置専用の個人部分と呼ばれる部分（１０）と、前記ネットワークに加入しているすべての端末装置に対する共通部分と呼ばれる別の部分（２０）とに分割され、前記情報が、２つのタイプのデータ伝送チャネル（４、５）を介して伝送され、第１のタイプのチャネル（４）は、前記情報の前記個人部分（１０）専用であり、第２のタイプのチャネル（５）は、前記情報の前記共通部分（２０）専用であるブロードキャスト方法。
【請求項２】
前記ネットワークに加入している端末装置（３）のそれぞれに関するユーザプロファイルを定義するデータを、第１のデータベース（１）内に記憶するためのステップと、
コンテンツデータを、第２のデータベース（２）内に記憶するためのステップとを含み、前記ユーザプロファイルが、前記情報の前記個人部分（１０）を表し、前記コンテンツデータが、前記情報の前記共通部分（２０）を表す、請求項１に記載のブロードキャスト方法。
【請求項３】
前記端末装置（３）が、前記情報の前記個人部分（１０）を受信し、前記情報の前記共通部分（２０）に関してネットワークサーバに問合せを行う、請求項１に記載のブロードキャスト方法。
【請求項４】
前記端末装置（３）が、前記情報の前記個人部分（１０）を受信し、前記情報の前記共通部分（２０）に関してネットワークサーバに問合せを行う、請求項２に記載のブロードキャスト方法。
【請求項５】
前記端末装置（３）が、前記情報の前記個人部分（１０）、および前記情報の前記共通部分（２０）を前記ネットワークサーバから同時に受信する、請求項１に記載のブロードキャスト方法。
【請求項６】
前記端末装置（３）が、前記情報の前記個人部分（１０）、および前記情報の前記共通部分（２０）を前記ネットワークサーバから同時に受信する、請求項２に記載のブロードキャスト方法。
【請求項７】
前記端末装置（３）が、前記個人部分（１０）と前記共通部分（２０）を同期させ、前記個人部分（１０）と前記共通部分（２０）をユーザに表示する、請求項１に記載のブロードキャスト方法。
【請求項８】
前記端末装置（３）が、前記個人部分（１０）と前記共通部分（２０）を同期させ、前記個人部分（１０）と前記共通部分（２０）をユーザに表示する、請求項２に記載のブロードキャスト方法。
【請求項９】
前記端末装置（３）が、前記個人部分（１０）と前記共通部分（２０）を同期させ、前記個人部分（１０）と前記共通部分（２０）をユーザに表示する、請求項３に記載のブロードキャスト方法。
【請求項１０】
前記端末装置（３）が、前記情報の前記個人部分（１０）と前記共通部分（２０）を結合するために、第３のデータベース（６）を構築する、請求項１に記載のブロードキャスト方法。
【請求項１１】
前記端末装置（３）が、前記情報の前記個人部分（１０）と前記共通部分（２０）を結合するために、第３のデータベース（６）を構築する、請求項２に記載のブロードキャスト方法。
【請求項１２】
前記端末装置（３）が、前記情報の前記個人部分（１０）と前記共通部分（２０）を結合するために、第３のデータベース（６）を構築する、請求項３に記載のブロードキャスト方法。
【請求項１３】
前記情報の前記個人部分（１０）と前記共通部分（２０）を結合する前記第３のデータベース（６）が、前記ネットワーク内に配置されるか、または前記端末装置（３）に組み込まれる、請求項１０に記載のブロードキャスト方法。
【請求項１４】
前記第２のタイプのチャネル（５）がブロードキャストチャネルである、請求項１に記載のブロードキャスト方法。
【請求項１５】
前記第２のタイプのチャネル（５）がブロードキャストチャネルである、請求項２に記載のブロードキャスト方法。
【請求項１６】
前記第２のタイプのチャネル（５）がブロードキャストチャネルである、請求項３に記載のブロードキャスト方法。
【請求項１７】
前記第２のタイプのチャネル（５）がブロードキャストチャネルである請求項１０に記載のブロードキャスト方法。
【請求項１８】
前記端末装置（３）が、ブロードキャストチャネルセレクタを制御するマイクロプロセッサを含み、前記ブロードキャストチャネルセレクタが、前記ネットワーク内のすべてのブロードキャストチャネルのなかから、前記共通部分（２０）が見つかるチャネルを選択することを可能にする、請求項１３に記載のブロードキャスト方法。
【請求項１９】
前記端末装置（３）が、ブロードキャストチャネルセレクタを制御するマイクロプロセッサを含み、前記ブロードキャストチャネルセレクタが、前記ネットワーク内のすべてのブロードキャストチャネルのなかから、前記共通部分（２０）が見つかるチャネルを選択することを可能にする、請求項１４に記載のブロードキャスト方法。
【請求項２０】
１つまたは複数の異なるタイプの伝送チャネル（４、５）を含む無線通信ネットワーク内に配置されたサーバと、端末装置（３）のユーザのプロファイルを含むユーザデータベース（１）と、端末装置（３）のすべてのユーザによって共用される共通データベース（２）とを含む、１つまたは複数の無線通信端末装置（３）に１つまたは複数の情報をブロードキャストするためのシステムであって、
前記情報は、所与の端末装置専用の個人部分（１０）と呼ばれる部分（１０）と、すべての端末装置（３）に対する共通部分と呼ばれる別の部分（２０）とに分割され、前記ユーザデータベース（１）が、前記情報の前記個人部分（１０）を構築するのに使用され、前記共通データベース（２）が、前記端末装置（３）のすべてのユーザに共通のマルチメディアコンテンツデータ（２０）を含み、前記サーバが、第１のチャネル（４）および第２のチャネル（５）それぞれを介して、ユーザデータベース（１）と共通データベース（２）の両方にアクセスする手段、ならびにそのようなデータを所与の端末装置（３）に伝送する場合、異なるタイプの前記データ伝送チャネル（４、５）を介する手段を有するシステム。
【請求項２１】
１つまたは複数の異なるタイプのデータ伝送チャネル（４、５）を含む無線通信ネットワーク内で動作するのに適した無線通信端末装置であって、
第１のチャネル（４）からの個人データと呼ばれる第１のデータ（１０）を解析する手段と、
前記個人データ（１０）から特定のデータを抽出して、端末装置（３）のすべてのユーザによって共用される共通データと呼ばれる第２のデータ（２０）を、第２のチャネル（５）を介して取り出すことを可能にする手段と、
前記第１のデータ（１０）および前記第２のデータ（２０）を結合する手段と、
端末装置（３）のユーザに前記第１のデータ（１０）および前記第２のデータ（２０）を表示する手段とを含む端末装置。
【発明の詳細な説明】
【技術分野】
【０００１】
本発明は、無線通信ネットワーク内で情報をブロードキャストするための方法に関する。また、本発明は、そのような方法を利用するデバイスに関する。
【０００２】
本発明の適用分野の１つは、それだけに限らないが、セルラー無線通信ネットワーク内で動作するモバイル無線通信端末装置の分野である。そのような端末装置は、ネットワーク加入者によって使用される。通信事業者が、ネットワーク加入者のための接続を運用する。
【０００３】
本発明は、それだけに限らないが、特にＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）標準に適用される。
【背景技術】
【０００４】
無線通信システムの著しい発展により、データ伝送のための帯域幅が常に増大するという問題が生じている。実際、音声伝送が数十キロバイトを必要とするだけであるのに対して、イメージを送信するには数百キロバイトを必要とし、他方、ビデオクリップの伝送は、数百メガバイトを必要とする。
【０００５】
したがって、イメージ、サウンド、またはその両方の組合せなどのデータは、ネットワーク加入者の端末装置に伝送するのに、相当なネットワーク容量および帯域幅を必要とする。
【０００６】
そのような種類のデータが、数名の加入者に同時に伝送される場合、通信事業者は、存在する加入者と同じ数だけのチャネルを使用しなければならない。これにより、大量のネットワーク帯域幅を独占しなければならず、他のネットワーク加入者向けの音声専用通信の伝送の妨げとなるという問題がもたらされる。
【０００７】
知られている解決方法（国際公開第０１／９３５０５号パンフレット）は、２つの異なるタイプの伝送チャネルを提供することにある。第１のタイプのチャネルは、（音声）通信を伝送するのに適している。したがって、第１のタイプのチャネルは、そのような通信専用の伝送能力を有する。
【０００８】
第２のタイプのチャネルは、純粋なデータを伝送するのに適している。そのようなチャネルを介して、純粋なデータが加入者の端末装置に伝送される。
【０００９】
ただし、この解決方法は、各加入者について第２の種類のチャネルを使用することを必要とするので、大きいデータの伝送を、そのようなデータを受信することに対する加入者の関心に従って最適化するという問題を解決しない。
【００１０】
【特許文献１】国際公開第０１／９３５０５号パンフレット
【発明の開示】
【発明が解決しようとする課題】
【００１１】
本発明の目的は、事前定義された加入者のプロファイルに従って、一群の端末装置に向けて大きいデータをブロードキャストするための方法を介して、この問題に対する解決方法を提供することである。
【課題を解決するための手段】
【００１２】
情報は、サウンド、イメージ、および／またはイメージおよびサウンドと組み合わされたテキストとすることが可能である。
【００１３】
また、本発明は、伝送帯域幅およびネットワークリソースの最適化された使用を可能にするブロードキャストシステムをも提供する。
【００１４】
そのような目的で、本発明は、サーバと少なくとも２つの異なるタイプの伝送チャネルとを含む通信ネットワーク内で、少なくとも１つの情報を少なくとも１つの無線通信端末装置にブロードキャストするための方法であって、
情報が、所与の端末装置専用の個人部分と呼ばれる部分と、そのようなネットワークに加入しているすべての端末装置に対する共通部分と呼ばれる別の部分とに分割され、
前記情報が、２つのタイプのデータ伝送チャネルを介して伝送され、第１のタイプのチャネルは、情報の前記個人部分専用であり、第２のタイプのチャネルは、情報の前記共通部分専用である方法に関する。
【００１５】
このようにして、このブロードキャスト方法のおかげで、無線通信ネットワークの伝送能力が最適化され、情報の個人部分が、所与の端末装置だけに送信される。さらに、情報の共通部分は、その部分を受信する加入者と同じ数だけのチャネルを介してではなく、そのような共通部分に関心を有する加入者のグループごとに１つのチャネルを介して送信される。
【００１６】
また、本発明は、少なくとも１つの情報を少なくとも１つの無線通信端末装置にブロードキャストするためのシステムであって、前記システムは、少なくとも２つの異なるタイプの伝送チャネルを含む無線通信ネットワーク内に配置されたサーバと、端末装置のユーザのプロファイルを含むユーザデータベースと、端末装置のすべてのユーザによって共用される共通データベースとを含み、前記情報が、所与の端末装置専用の個人部分と呼ばれる部分と、すべての端末装置に対する共通部分と呼ばれる別の部分とに分割され、前記ユーザデータベースが、情報の前記個人部分を構築するのに使用され、前記共通データベースが、すべての端末装置ユーザに共通のマルチメディアコンテンツデータを含み、前記サーバが、ユーザデータベースと共通データベースの両方にアクセスする手段、ならびに異なるタイプのデータ伝送チャネルを介して所与の端末装置にそのようなデータを伝送する手段を有するシステムにも関する。
【００１７】
本発明のさらなる特徴および利点は、限定するためではなく例示するために提供された、本発明に関する特定の実施形態と以下に提示する図面の以下の説明を読めば明白となろう。
【００１８】
以下の説明では、本発明を、無線電話機およびセルラー電話機に関する適用例として説明する。本発明は、より一般的には、例えば、無線メッセージ交換デバイス、または携帯情報端末（ＰＤＡ）などのすべてのタイプの無線送受信機に適用することができる。
【発明を実施するための最良の形態】
【００１９】
図１を参照すると、本発明によるブロードキャストシステムが、２つの別個のデータベースを含むサーバを含んでいる。
【００２０】
第１のデータベース１は、ネットワーク内に位置する各端末装置３に関するユーザプロファイルを定義するデータベースである。例として、プロファイルは、ユーザの好みのトピック、ユーザの端末装置タイプ、ユーザが所属するコミュニティを含むことが可能である。
【００２１】
第２のデータベース２は、テキスト、イメージ、またはビデオなどのマルチメディアタイプのデータを記憶するマルチメディアコンテンツデータベースである。
【００２２】
また、ネットワークは、情報転送のための２つのチャネル４、５も含む。
【００２３】
図２および図３に示すとおり、少なくとも１つの端末装置３に伝送されるべき情報は、所与の端末装置専用のいわゆる個人部分１０と、すべての端末装置に共通の別のいわゆる共通部分２０とに分割される。
【００２４】
個人部分１０は、個人タイプのデータベース１内に記憶され、共通部分２０は、共通タイプのデータベース２内に記憶される。
【００２５】
いわゆる個人部分１０は、所与の端末装置３の所与のユーザに割り振られた第１のチャネル４によって搬送される。このようにして、端末装置３のユーザが、情報のこの個人部分を受信する唯一のユーザとなる。
【００２６】
共通部分２０は、「ブロードキャストチャネル」と名付けられた第２のチャネル５によって搬送される。
【００２７】
一実施形態によれば、端末装置３は、情報の個人部分１０を受信し、情報の共通部分２０に関する問合せをサーバに対して行う。
【００２８】
別の実施形態によれば、端末装置３は、サーバによって直接に送信された情報の両方の部分１０、２０をともに受信することもできる。
【００２９】
サーバは、図２で示すとおり、情報の個人部分１０をメタファイル１２にフォーマットする。
【００３０】
次に、サーバは、メタファイル１２内の情報の個人部分１０を端末装置３に伝送する。
【００３１】
したがって、メタファイル１２は、情報の個人部分１０、ポインタ１４、および同期データ１６を含む。
【００３２】
ポインタ１４は、
端末装置３によって受信されるべき情報の共通部分を伝送するために使用される、ブロードキャストチャネル４の識別番号と、
情報の共通部分２０を搬送する図３に描いたフレームのヘッダＩＤおよびフッタＩＤとを含む。このフレームは、当分野の技術者にはよく知られているシステムである、ＴＤＭＡ（時間分割多重アクセス）として知られるデータ伝送システムによって管理される、ネットワーク内で送信されるデータブロックに時間フラグを設定する。
【００３３】
チャネル４によって搬送される各フレームは、フレームの先頭を示すヘッダ番号２２と、フレームの終り、したがって伝送されるべきデータブロックの終りを示すフッタ番号２４とを含む。
【００３４】
情報の共通部分２０は、例えば、単一のフレーム内で搬送されるには大きすぎる場合、または異なるイメージシーケンスまたはビデオシーケンスから構成されている場合、いくつかのフレーム、例えばフレーム＃１、フレーム＃２を含むことが可能である。
【００３５】
また、メタファイル１２も、情報の共通部分２０が、異なるタイプ、例えばイメージ、サウンド、およびテキストのいくつかのデータブロックを含む場合、いくつかのポインタ１４を含むことが可能である。
【００３６】
同期データ１６は、メタファイル１２を受信する端末装置３が、情報の個人部分１０を情報の共通部分２０と同期させることを可能にする。
【００３７】
例として、この同期データ１６により、情報の個人部分１０を表すいくらかのテキストを、情報の共通部分２０を表すイメージおよびサウンドと同期させることが可能になる。
【００３８】
そのようなデータを含む同期方法は、従来の技術で知られているＨＴＭＬ（インターネットを介するサービスデータに適した言語であるハイパーテキストマークアップ言語）、またはＳＭＩＬ（Ｓｙｎｃｒｈｏｎｉｚｅｄ  Ｍｕｌｔｉｍｅｄｉａ  Ｉｎｔｅｇｒａｔｉｏｎ  Ｌａｎｇｕａｇｅ）に基づく。
【００３９】
端末装置３が、情報の共通部分２０に関してネットワークに問合せを行う必要がある実施形態では、端末装置３は、特定のマイクロプロセッサ（図示せず）を含む。この特定のマイクロプロセッサは、ブロードキャストチャネルセレクタを制御し、適切なチャネル、ヘッダＩＤ２２、およびフッタＩＤ２４を選択する。
【００４０】
端末装置は、情報の共通部分２０を取り出し、第３のデータベース６を構築して、情報の個人部分１０と共通部分２０を同期させる。
【００４１】
データベース６は、端末装置に組み込まれるか、あるいは代替の実施形態では、例えば、構築される情報のサイズが、端末装置３の記憶能力またはデータ処理能力を超える場合、ネットワーク内に配置される。
【００４２】
情報の２つの部分１０、２０が、データベース内で同期されると、次に、構築された情報が、表示スクリーン７を介し、また場合により、例えば、スピーカなどの端末装置３の他の構成要素を介して端末装置３のユーザに提示される。
【００４３】
このようにして、構築された情報は、端末装置３が扱うことのできるサイズのデータグループに分割される。端末装置３は、各データグループに関してこのデータベース６に問合せを行い、各データグループが端末装置３のユーザに来るのに応じて、そのデータグループを表示する。この方法は、一般に、マルチメディアコンテンツのストリーミング（必要に応じた、必要な際のデータの検索）として知られている。
【００４４】
次に、本発明の実施形態の１つに関する適用例を説明する。
【００４５】
マルチメディアコンテンツデータベース２は、スポーツに関するトピックデータベースである。
【００４６】
このデータベースは、２つのサッカークラブ、例えば、ＸとＹの間の様々なサッカーの試合のビデオを含む。
【００４７】
端末装置３のユーザのプロファイルを定義するデータベース１は、ユーザの関心分野を明記する列、およびすべての秘密厳守のデータを含む。
【００４８】
例として、ネットワークを運営する通信事業者が、Ｘ−Ｙ間の試合の最新のゴールを、両チームのすべてのサポーターに送信し、同時に、ソーダの広告を送信することが可能である。
【００４９】
端末装置３のユーザは、Ｘチームのサポータであり、このチームの選手であるＭ．Ｚ．に関するできる限りのあらゆる情報を得ることを所望している。このユーザを、Ｍ．ファンと呼ぶ。
【００５０】
ネットワークが、データベース１を使用することによってメタファイル１２を生成する。
【００５１】
このメタファイルは、以下を含む。すなわち、
・端末装置３にブロードキャストされるべき情報のいわゆる個人部分１０（例えば、このユーザの好みのコマーシャルソングを伴う「Ｍ．ファン殿、Ｍ．Ｚがゴールを決めました」という文）、
・端末装置３によって受信されるべき情報の共通部分２０を伝送するために使用される、ブロードキャストチャネル４の識別番号を含むポインタ１４（例えば、最新のＸ−Ｙ間の試合のビデオが送信されるチャネル１２３）、情報の共通部分２０（例えば、Ｍ．ジダンのゴールが位置するバイト８２１と８２１８２１との間の）を搬送する、図３に描いたフレームのヘッダＩＤとフッタＩＤ、
・同期データ１６により、メタファイル１２を受信する端末装置３が、情報の個人部分１０を共通部分２０と同期させることが可能になる。
【００５２】
メタファイル１２が、端末装置３によって受信される。
【００５３】
端末装置３は、情報の共通部分２０に関してネットワークに問合せを行わなければならない。すなわち、端末装置のマイクロプロセッサの１つが、ブロードキャストチャネルセレクタに指令し、適切なチャネル（チャネル１２３）、ならびにヘッダ２２ＩＤとフッタ２４ＩＤ（８２１と８２１８２１）を選択し、次に、端末装置が、情報の共通部分２０を取り出し、情報の個人部分１０と共通部分２０を同期させるために第３のデータベース６を構築する。
【００５４】
端末装置３が、Ｍ．ファンに関する以下のスクリーンを表示する。
【表１】
2004215248.tif 000003
【図面の簡単な説明】
【００５５】
【図１】本発明による情報のブロードキャストのための無線通信ネットワークを示す図である。
【図２】本発明による端末装置に伝送される情報の個人部分を含むファイルを示す図である。
【図３】本発明による情報の共通部分を搬送する１対のフレームを示す図である。
【符号の説明】
【００５６】
１、２  データベース
３  端末装置
４、５  チャネル
７  表示スクリーン
【図１】
2004215248.tif 000004
【図２】
2004215248.tif 000005
【図３】
2004215248.tif 000006
【外国語明細書】
2004215248.tif 000007
2004215248.tif 000008
2004215248.tif 000009
2004215248.tif 000010
2004215248.tif 000011
2004215248.tif 000012
2004215248.tif 000013
2004215248.tif 000014
2004215248.tif 000015
2004215248.tif 000016
2004215248.tif 000017
2004215248.tif 000018
2004215248.tif 000019
2004215248.tif 000020
2004215248.tif 000021